(57)【特許請求の範囲】
【請求項１】
導電面と、前記導電面を大地面に対して垂直に起立させる手段と、前記導電面を前記大地面に対して垂直に起立させた状態で大地面に圧接させる垂直加圧力を与える手段と、前記導電面を前記大地面から上昇させる手段と、前記導電面を移動させる手段を備えることを特徴とする垂直グランドプレーン。
【請求項２】
前記垂直加圧力を与える手段は、前記導電面の自重によることを特徴とする、請求項１記載の垂直グランドプレーン。
【請求項３】
前記導電面は、前記大地面に対して、垂直となる位置から平行となる位置まで傾斜が可能であることを特徴とする、請求項１または２記載の垂直グランドプレーン。
【請求項４】
前記導電面は、駆動機構を用いて前記起立または前記傾斜を行うことを特徴とする、請求項３記載の垂直グランドプレーン。
【請求項５】
前記駆動機構は、遠隔操作により前記起立または前記傾斜を行うことを特徴とする、請求項４記載の垂直グランドプレーン。
【請求項６】
前記導電面は、電気的および機械的に接続された複数の導体板からなり、前記導体板を展開または収納することで前記導電面の寸法を変更可能に構成したことを特徴とする、請求項１から５記載の垂直グランドプレーン。
【請求項７】
前記移動させる手段は、駆動機構を備えることを特徴とする、請求項１から６記載の垂直グランドプレーン。
【発明の詳細な説明】
【技術分野】
【０００１】
本発明は、各種電気および電子機器の電磁妨害測定に供する垂直グランドプレーンに関し、特に電波暗室内での利用に好適な垂直グランドプレーンに関するものである。
【背景技術】
【０００２】
各種電気および電子機器、装置、システムなどが設置されている環境には、様々な電磁現象が存在する。装置等の性能を低下させたり、誤動作を引き起こしたりする原因となる電磁現象を電磁妨害と呼ぶ。電磁妨害は妨害波を発生する装置と被害を被る装置との間の結合形態によって、一般に次の２種類に分類される。
【０００３】
一つは伝導妨害であり、妨害波の電磁エネルギーが主として電力線や信号線などの導体を経由して伝達され、他の装置に侵入して妨害を与えるものをいう。
【０００４】
もう一つは放射妨害であり、妨害波の電磁エネルギーが電磁波の形態で放射され、空間を伝搬して他の装置に妨害を与えるものをいう。
【０００５】
これら電磁妨害の測定には、その種類によって各々異なった測定方法および測定環境の規定が設けられている。
【０００６】
一般的に伝導妨害の測定は、部屋全体を導電材料からなるシールド材を用いて電磁気的に遮蔽したシールドルーム内において行われる。
【０００７】
また、放射妨害の測定は、前記シールドルームの床面を除いた内壁を、電波吸収体で覆った電波暗室（一般に「半無響室」と呼ばれ、本発明では以下、半無響室を「電波暗室」という。）で行われる場合が多い。
【０００８】
しかしながら、電磁妨害の測定において、伝導妨害測定用のシールドルームと、放射妨害測定用の電波暗室を別々に設置することは、多額の設備投資を必要とするため設置者の経済的な負担が大きい。
【０００９】
また、シールドルームと電波暗室の双方を設置しても、同一の被計測対象（以下「ＥＵＴ」という）の伝導妨害と放射妨害を測定する場合には、測定場所の移動と再度のセッティングが必要となるため、著しく作業効率が悪い。
【００１０】
伝導妨害の測定では、基準面となる導電面とＥＵＴとの間の距離が規定されており、基準面とＥＵＴの間にある空間には、導体や電波吸収体を含む電磁気的に何らかの影響を与えるものは設置することができない。一方で、基準面の規定を満足すれば電波暗室内でも伝導妨害の測定は可能であることから、電波暗室内で地面と同電位とみなすことのできる導電性の床面（以下「大地面」という。）を基準面としたり、他に基準面となる導電面を導入したりすることが行われている。
【００１１】
大地面以外に導電面を導入する場合には、幅×高さが２ｍ×２ｍ以上で、垂直に起立し、大地面と同電位となるよう電気的に接続されている必要があり、このような導電面が特許文献１に電波暗室用垂直導電面衝立として開示されている。
【００１２】
電波暗室に大地面以外の導電面を導入する際には、導電面を使用しない場合の測定に影響を与えないことが必要であるため、従来は電波暗室の外に保管された導電面を、利用の都度、電波暗室内に搬入し設置作業を行っていた。
【００１３】
【特許文献１】特開平０８−４６３８２号公報
【発明の開示】
【発明が解決しようとする課題】
【００１４】
以下、従来の垂直導電面及び一般的な呼称や部品として用いる導電面と区別するため、本発明による垂直導電面とそれに付随する機構を含んだ構成を「垂直グランドプレーン」という。
【００１５】
なお、本発明で言う「垂直」とは、米国のＦＣＣ、日本のＶＣＣＩ等が定めた計測規格で許容された傾きを含むものであり、適用する規格によって許容範囲が異なる場合がある。
【００１６】
従来は、伝導妨害測定および放射妨害測定の度に、導電面を電波暗室の搬出入口から出し入れしていた。しかしながら、電波暗室内部に設置するものとしては比較的大型の構造物である導電面を、使用の都度、搬出入することは作業性が悪いという課題があった。
【００１７】
また、電波暗室においては、測定の伝搬特性に影響を与えるため、大地面は突起や窪みのない平坦面であることが求められる。従って、導電面を接地するために導体を貼り付けたり、ネジ穴を設けたりすることに対する制約が厳しく、導電面の設置および撤去に付随する接地作業が煩雑であるという課題があった。
【００１８】
また、電波暗室の外部に導電面を収納する場所が必要であるため、収納場所が電波暗室の近傍に設置できない場合は、搬出入に要する作業量が増えるという課題があった。
【００１９】
近年ではＥＵＴの大型化に伴い、２ｍ×２ｍの導電面では覆いきれない測定も増えている。また、認定の基準として２ｍ×２ｍよりも大型の導電面について、既に規格によって規定している国もあるため、今後更に大型の導電面が求められる方向であるが、従来の導電面で大型化に対応できるものがないという課題があった。
【００２０】
本発明は、かかる従来技術の課題を解決するためになされたもので、その目的は、移動が容易で設置時の作業性に優れ、収納が容易で大型ＥＵＴへの適応性に優れた垂直グランドプレーンを提供することにある。
【課題を解決するための手段】
【００２１】
本発明によれば、導電面と、前記導電面を大地面に対して垂直に起立させる手段と、前記導電面を前記大地面に対して垂直に起立させた状態で大地面に圧接させる垂直加圧力を与える手段と、前記導電面を前記大地面から上昇させる手段と、前記導電面を移動させる手段を備えることを特徴とする垂直グランドプレーンが得られる。
【００２２】
また本発明によれば、前記垂直加圧力を与える手段は、前記導電面の自重によることを特徴とする垂直グランドプレーンが得られる。
【００２３】
本発明では、導電面を大地面に対して垂直に起立させる手段として、台車に設置した垂直な支柱に導電面を取り付けるよう構成することができる。
【００２４】
本発明では、導電面に垂直加圧力を与えることにより、大地面に圧接することで確実に接地するよう構成する。導電面と大地面の接地とは、導電面と大地面が電気的に接続されるとともに、概ね一様な同電位にある状態のことを言う。導電面と大地面はともに導体からなるため、両者の一部でも接触していれば電気的な導通は得られるが、前記のＦＣＣやＶＣＣＩ等における接地の規定を満たす程度の一様な同電位状態を実現するためには、より確実に圧接することが必要である。
【００２５】
本発明では、導電面に垂直加圧力を与える手段として、導電面の自重を利用する方法の他、空気圧や油圧やモーターの駆動力を利用する方法、重りを取り付ける方法など、種々の方法で与えることが可能である。また導電面を上昇させる手段も、手動による方法、空気圧や油圧やモーターの駆動力を利用する方法など、種々の方法で与えることが可能である。
【００２６】
また、導電面が十分に重く、測定に適用する接地の規定を満たすことができる垂直加圧力が得られる場合は、導電面の自重のみを以って大地面への垂直加圧力とするよう構成することが可能である。
【００２７】
本発明による垂直グランドプレーンでは、収納庫と測定時の使用位置の間を移動するため、導電面を上昇させる手段と移動手段を備えるよう構成する。導電面を上昇させる手段としては、ガイドを設け油圧や空気圧等を利用した直動機で押し上げる方法、ラックアンドピニオン機構を利用し手動やモーターで駆動する方法など、確実に上昇動作が可能な手段を用いることができる。
【００２８】
本発明による垂直グランドプレーンの移動手段は、底部にキャスターを取り付けるなど公知の方法を用いることができる。
【００２９】
導電面を上昇させる手段として、垂直グランドプレーン全体をエアで浮上させる方法を採用すれば、導電面を上昇させる手段と移動手段を兼用することができる上に、他の駆動手段が不要なほど小さい力で大重量の垂直グランドプレーンを移動することも可能となるため、更に好ましい。
【００３０】
導電面に垂直加圧力を与える手段と、導電面を上昇させる手段は、それぞれ独立して用意しても良いが、両者を兼用する昇降機構を用いることにより、構造の簡略化にともなうコスト低減や軽量化が期待できるため、なお好ましい。
【００３１】
本発明により、導電面と大地面の接地作業を省略することができるため、導電面の設置および撤去にともなう作業を大幅に簡略化することが可能となる。
【００３２】
加えて、導電面と大地面の接地作業に用いられる取り付け部材等が不要となることから、電波暗室において大地面の平坦性を損なう突起や窪み、貼り付けた導体などを設ける必要もなく、伝導妨害測定と放射妨害測定時を良好な測定環境で両立させることが可能となる。
【００３３】
本発明によれば、導電面は、前記大地面に対して、垂直となる位置から平行となる位置まで傾斜が可能であることを特徴とする垂直グランドプレーンが得られる。
【００３４】
本発明によれば、導電面は駆動機構を用いて前記起立または前記傾斜を行うことを特徴とする垂直グランドプレーンが得られる。
【００３５】
本発明によれば、駆動機構は、遠隔操作により前記起立または前記傾斜を行うことを特徴とする垂直グランドプレーンが得られる。
【００３６】
本発明では、導電面は、使用時に大地面に対して垂直に起立させ、収納時に横倒して傾斜または平行状態とすることにより、使用時よりも収納時の高さが低いことを特徴とする垂直グランドプレーンが得られる。即ち、垂直グランドプレーンの導電面を傾斜可能に構成することで、収納時に低背形状に変形させることができる。従って、開口高さの低い搬出入口を有する電波暗室であっても、容易に移動が可能である。
【００３７】
また、電波暗室の床下に収納庫を設ければ、伝搬特性を損なうことなく垂直グランドプレーンを収納することができる。
【００３８】
垂直グランドプレーンは使用時の高さが２ｍ以上あるため、そのままでは床下の収納庫が非常に深くなり、出し入れの際の作業性が著しく悪化する。
【００３９】
垂直グランドプレーンを収納時に低背形状とすることにより、床下の収納庫を浅くすることができるため、設置に関する作業性が良くなる。
【００４０】
導電面は大地面に対して平行状態まで傾斜させた場合に最も低背となり、床下への収納には好ましいが、必ずしも大地面に対して平行まで傾斜する必要はなく、電波暗室床下の収納庫の設置コストや垂直グランドプレーンの導電面傾斜機構の構成によって適宜設定することができる。
【００４１】
なお、本発明の垂直グランドプレーンは電波暗室の床下への収納を容易とするものであるが、電波暗室の壁面に収納することや、電波暗室外へ収納することを妨げるものではない。
【００４２】
垂直グランドプレーンを電波暗室内に収納することで、電波暗室外への搬出入が不要となるため、作業性が良い。また、電波暗室外に垂直グランドプレーンの収納場所を設ける必要がなくなり、電波暗室周辺の空間配置に制約のある場合により好ましい。
【００４３】
本発明による導電面の起立状態と傾斜状態は、手動で行うこともできるが、他に動力を用いて行えば、設置作業に要する労力や工数を削減することが可能となるためなお良い。動力としては空気圧や油圧、モーターの駆動力を利用する方法など、種々の方法で与えることが可能である。
【００４４】
加えて、各動作の制御を遠隔操作することで、垂直グランドプレーンから離れた場所で導電面の起立および傾斜動作と、導電面の昇降を操作することができるため、機械装置の動作範囲内に立ち入る必要が無くなり、作業性を更に高めることが可能である。遠隔操作の手段は、有線式のリモートコントロール、赤外線や電波を用いた無線式リモートコントロールなど、作業性や機器のコストに応じて適宜選択することができる。
【００４５】
本発明によれば、導電面は電気的および機械的に接続された複数の導体板からなり、導体板を展開または収納することで、導電面の寸法を変更可能に構成したことを特徴とする垂直グランドプレーンが得られる。
【００４６】
本発明では、複数の導体板を、蝶番やスライド機構などの公知の可動取り付け手段を用いて電気的および機械的に接続し、測定仕様の要求に応じて導体板を展開または収納することで、標準寸法の２ｍ×２ｍのみならず、更に大型の導電面を構成することが可能になる。
【００４７】
本発明によれば、導電面を移動させる手段は、駆動機構を備えることを特徴とする垂直グランドプレーンが得られる。
【００４８】
本発明の垂直グランドプレーンでは、移動手段に加え、更に移動のための駆動機構を備えるよう構成する。駆動機構としては、一般的なモーターによって車輪を駆動する方法が簡便かつ安価である。大地面との接地を確保するための垂直加圧力が導電面の自重を利用する場合は、垂直グランドプレーンの重量が非常に重くなるため、駆動機構を有することで移動が容易になることは特に好ましい。
【発明の効果】
【００４９】
本発明によれば、導電面に垂直加圧力を与えて大地面に接地させることで、導電面の設置作業を大幅に簡略化し、大地面や導電面への取り付け金具等の部品や設備を不要とすることにより、移動が容易で設置時の作業性に優れた垂直グランドプレーンを提供することが可能となった。
【００５０】
また、本発明によれば、導電面は使用時に垂直に起立させ、収納時に横倒して傾斜させることで収納が容易で、導電面を複数の導体板で構成して必要に応じて展開および収納することにより、大型ＥＵＴへの適応性に優れた垂直グランドプレーンを提供することが可能となった。
【発明を実施するための最良の形態】
【００５１】
以下に、図面を用いて本発明の実施の形態を詳述する。
【００５２】
（実施の形態１）
図１は、本発明による垂直グランドプレーンの実施の形態１における使用時の状態を示す概略側面図である。導電面２は、導電面２のＥＵＴと対向しない面（以下、「導電面の裏側」という。）に設けたガイド５１を介して、支柱４に取り付けるよう構成する。支柱４は、移動手段としてキャスター６１を有する台車６２に、図示しない取り付け部材を介して垂直に取り付ける。導電面２の下部端縁には、予め金属バネ２３を取り付ける。
【００５３】
垂直グランドプレーンの移動の際は、例えばエアシリンダー等によって構成された導電面上昇用直動機５３によって突起５２を押し上げることで、ガイド５１が支柱４をスライドして導電面２は大地面３から上昇する。
【００５４】
導電面２の上昇状態を保持しつつ、垂直グランドプレーンを所望の場所に移動した後、導電面上昇用直動機５３の押し上げ動作を止めることで、導電面２が大地面３と接触し、導電面２の自重によって接地を得ることができる。従来、接地を確保するために用いられていた導電面２と大地面３を接続固定する取り付け金具等の部材と、その取り付けおよび取り外し作業が不要となるため、導電面２の移動および設置に要する作業が簡略化される。
【００５５】
本実施の形態では、大地面３と接する導電面２の下部端縁に、予め金属バネ２３を取り付けておくが、必ずしも必要な部材ではないので着脱可能に構成しても良い。しかしながら、金属バネや導電性のガスケット等の接地補助部材を用いることで、大地面３の平坦度による接地状態への影響を軽減できることから、特に導電面の自重のみで確実な接地を得るためには、前記接地補助部材の利用が好ましい。
【００５６】
（実施の形態２）
図２は、本発明による垂直グランドプレーンの実施の形態２における使用時の状態を示す概略側面図である。導電面２は、導電面の裏側に設けたラック５４と支柱４に設けたピニオン５５を噛み合わせることで、支柱４に取り付けるよう構成する。支柱４は、移動手段としてキャスター６１を有する台車６２に、図示しない取り付け部材を介して垂直に取り付ける。
【００５７】
垂直グランドプレーンの移動の際は、モーター５６で駆動されたピニオン５５が回転し、ラック５４を上方向に移動させることで導電面２は大地面３から上昇する。
【００５８】
導電面２の上昇状態を保持しつつ、垂直グランドプレーンを所望の場所に移動した後、モーター５６をラック５４が下降する方向に駆動することで、導電面２が大地面３に押し付けられ、導電面２の自重とモーター５６によって与えられた力が垂直加圧力として加わることによって、より確実な接地を得ることができる。従って、実施の形態１と同様、導電面２の移動および設置に要する作業が簡略化される。
【００５９】
（実施の形態３）
図３は本発明による垂直グランドプレーンの実施の形態３における使用時の状態を示す概略側面図、図４は本発明による垂直グランドプレーンの実施の形態３における移動および収納時の状態を示す概略側面図である。導電面２は、導電面の裏側に設けたガイド５１を介して支柱４に取り付け、支柱４は回動支点７１を介して、底部にキャスター６１を設けた台車６２に取り付ける。導電面２に傾斜を与える起立および傾斜用直動機７２は、一端を支柱４に取り付け、他端は台車６２に取り付ける。
【００６０】
図３において示す本発明による垂直グランドプレーンの使用時の状態では、起立および傾斜用直動機７２の伸長によって導電面２が垂直に起立しており、導電面の裏側に設けた突起５２と接続した導電面昇降用直動機５７が下降動作を行うことにより、導電面２の自重に加えて導電面昇降用直動機５７によって垂直加圧力が与えられ、十分な接地を得ることができる。
【００６１】
加えて本実施の形態では、導電面２の下部端縁に導電性のガスケット２４を取り付けており、大地面３の平坦度によらず確実な接地を得ることができる。
【００６２】
図４において示す本発明による垂直グランドプレーンの移動および収納時の状態は、起立および傾斜用直動機７２の収縮によって導電面２が大地面に対して平行に傾斜している。垂直グランドプレーンを所望の場所に移動した後、起立および傾斜用直動機７２を伸長させて支柱４を押すことにより、回動支点７１を中心として導電面２が垂直まで起立させる。導電面２が起立したら、図３で示した同じ手順により導電面２を降下させて大地面３に圧接し、良好な接地を得ることができる。
【００６３】
本発明による垂直グランドプレーンを、移動および収納時に導電面２を傾斜させて低背形状に変形させることで、開口高さが２ｍ以下の搬出入口の電波暗室でも容易に移動ができる。また、電波暗室の床下に垂直グランドプレーンの収納庫を設けた場合、垂直グランドプレーンを低背形状に変形させることにより、床下の収納庫を浅くすることができるため、出し入れの際の作業性が良くなる。従って、移動および設置に要する作業が簡略化される。
【００６４】
なお、本実施の形態では、導電面昇降用直動機５７と、起立および傾斜用直動機７２の動作制御を、赤外線を利用した無線式リモートコントローラーによる遠隔操作にて行うための遠隔操作用信号受信機並びに制御ボックス９を搭載した構成を示す。垂直グランドプレーンから離れた場所で、遠隔操作によって導電面２の起立および傾斜動作と、導電面の昇降を操作することができるため、機械装置の動作範囲内に立ち入る必要が無くなり、作業性が更に高まる。
【００６５】
（実施の形態４）
図５は本発明による垂直グランドプレーンの実施の形態４における導体板収納時を示す概略側面図、図６は本発明による垂直グランドプレーンの実施の形態４における導体板収納時を示す概略正面図、図７は本発明による垂直グランドプレーンの実施の形態４における導体板展開時を示す概略正面図である。
【００６６】
本実施の形態においては、複数の導体板２１ａ、２１ｂ、２１ｃを図示しない蝶番によって電気的および機械的に接続することで導電面２１を構成する。図５および図６における導電面２１は、導体板２１ａおよび導体板２１ｃを畳んで収納することで標準寸法時（２ｍ×２ｍ）に対応する。一方、ＥＴＵの横幅が広くて標準寸法の導電面では不足する場合、図７に示したように導体板２１ａ、２１ｃを展開して導電面２１の寸法を拡張することができる。導電面２１と大地面３の接触面積が増えるため、接地を確実に行う目的で導体板２１ａ、２１ｂ、２１ｃにはそれぞれ、接地補助部材として下部端縁にガスケット２４ａ、２４ｂ、２４ｃを取り付けている。
【００６７】
（実施の形態５）
図８は本発明による垂直グランドプレーンの実施の形態５における導体板収納時を示す概略側面図、図９は本発明による垂直グランドプレーンの実施の形態５における導体板収納時を示す概略正面図、図１０は本発明による垂直グランドプレーンの実施の形態５における導体板展開時を示す概略正面図である。
【００６８】
本実施の形態においては、複数の導体板２２ａ、２２ｂを図示しない蝶番によって電気的および機械的に接続することで導電面２２を構成する。図８では、導体板２２ａ（即ち導電面）の裏側に導体板２２ｂを畳んで収納することで、標準寸法時（２ｍ×２ｍ）に対応する。この場合、ＥＵＴ側から見れば図９のように導体板２２ａの面だけが向くことになる。一方、ＥＴＵの背が高くて標準寸法の導電面では不足する場合、図１０に示したように導体板２２ａの上に導体板２２ｂを展開して、導電面２２の寸法を拡張することができる。導電面２２以外の構成は、実施の形態４と同様である。
【００６９】
以上、図面を用いて本発明の実施の形態を説明したが、本発明はこれらの実施の形態に限定されるものではなく、本発明の要旨を逸脱しない範囲で、材質や構成の変更があっても本発明に含まれる。すなわち、当業者であれば当然なしえるであろう各種変形や修正もまた、本発明に含まれる。
【図面の簡単な説明】
【００７０】
【図１】本発明による垂直グランドプレーンの実施の形態１における使用時の状態を示す側面概略図。
【図２】本発明による垂直グランドプレーンの実施の形態２における使用時の状態を示す側面概略図。
【図３】本発明による垂直グランドプレーンの実施の形態３における使用時の状態を示す側面概略図。
【図４】本発明による垂直グランドプレーンの実施の形態３における移動および収納時の状態を示す側面概略図。
【図５】本発明による垂直グランドプレーンの実施の形態４における導体板収納時を示す概略側面図。
【図６】本発明による垂直グランドプレーンの実施の形態４における導体板収納時を示す概略正面図。
【図７】本発明による垂直グランドプレーンの実施の形態４における導体板展開時を示す概略正面図。
【図８】本発明による垂直グランドプレーンの実施の形態５における導体板収納時を示す概略側面図。
【図９】本発明による垂直グランドプレーンの実施の形態５における導体板収納時を示す概略正面図。
【図１０】本発明による垂直グランドプレーンの実施の形態５における導体板展開時を示す概略正面図。
【符号の説明】
【００７１】
２、２１、２２    導電面
２１ａ、２１ｂ、２１ｃ、２２ａ、２２ｂ    導体板
２３    ガスケット
２４、２４ａ、２４ｂ、２４ｃ    金属バネ
３    大地面
４    支柱
５１    ガイド
５２ 突起
５３ 導電面上昇用直動機
５４ ラック
５５ ピニオン
５６ モーター
５７ 導電面昇降用直動機
６１ キャスター
６２ 台車
７１ 回動支点
７２ 起立および傾斜用直動機
９      遠隔操作用信号受信機並びに制御ボックス
【図１】
0004889046.tif 000002
【図２】
0004889046.tif 000003
【図３】
0004889046.tif 000004
【図４】
0004889046.tif 000005
【図５】
0004889046.tif 000006
【図６】
0004889046.tif 000007
【図７】
0004889046.tif 000008
【図８】
0004889046.tif 000009
【図９】
0004889046.tif 000010
【図１０】
0004889046.tif 000011